【手続補正書】
【提出日】平成30年6月8日(2018.6.8)
【手続補正１】
【補正対象書類名】明細書
【補正対象項目名】０００６
【補正方法】変更
【補正の内容】
【０００６】
上記の目的を達成するために、本発明の一態様に係る眼科装置は、
被検者の被検眼に対して測定光を走査する走査部を駆動する駆動部と、
前記走査部および前記駆動部を覆う筺体と、
基台に対して前記筺体を移動させる移動部と、
前記基台に設けられ、前記被検者の顔を受ける顔受け部と、
前記移動部に設けられ、検者が操作する操作部と、
前記顔受け部の方向に位置する第一の側面および前記操作部の方向に位置する第二の側面とは異なる側面である前記筺体の第三の側面に設けられた吸引穴部および排出穴部を介して前記筺体の外部と連通する前記筺体の内部の空間であって、前記駆動部に対して遮蔽された前記空間に設けられた電子基板と、を備えることを特徴とする。
【手続補正２】
【補正対象書類名】明細書
【補正対象項目名】００１１
【補正方法】変更
【補正の内容】
【００１１】
図１は、該眼科装置の斜視図である。なお、図１において該眼科装置を説明するための座標１０７が付記してある。同座標１０７において、矢印の方向が＋方向である。該眼科装置は、光学ヘッド部１０１、移動部１０２、基台１０３、顎受け１０４、および操作棹１０８を有する。光学ヘッド部１０１は、被検者の被検眼において測定光を走査するＸＹスキャナ等から構成される走査部と、該走査部を駆動するポリゴンミラー等の駆動部を有する。また、光学ヘッド部１０１は、後述する外装カバー３０４の機能を果たしてこれら走査部および駆動部を覆う筺体を有する。
移動部１０２は、光学ヘッド部１０１を支える。基台１０３は、光学ヘッド部１０１および移動部１０２の基台である。移動部１０２は、基台１０３に対して光学ヘッド１０１を移動させ、光学ヘッド部１０１をＸＹＺ方向に位置合わせ出来る機構が備わっている。不図示のＶ字形状の２平面を軌道溝とした２本の軌道台の間に保持器付き円筒ころを組み込んだ直動案内機器である直動型クロスローラーガイドを直交させて、基台１０３と移動部１０２とを連結することで、これらをＸＺ方向に自在に位置決めできる構成になっている。このために、基台１０３と移動部１０２のＹ方向クリアランスは一定の間隔を保持している。顎受け１０４は、被検者がこれに顎や額等を当接させて、測定時の姿勢を維持するために用いられる。被検者の顔を固定する顔受け部の一部を構成する該顎受け１０４は、光学ヘッド部１０１の第一の側面の側に配置され、基台１０３に対して設けられる。すなわち、該第一の側面は、筺体における顔受け部が配置される方向に、或いは顔受け部に面して配置される。
【手続補正３】
【補正対象書類名】明細書
【補正対象項目名】００１２
【補正方法】変更
【補正の内容】
【００１２】
操作部たる操作棹１０８は検者により検査のための操作がなされ、光学ヘッド１０１の第二の側面の側に配置され、移動部１０２に設けられている。すなわち、該第二の側面は、筺体における操作部が配置される方向に、或いは操作部に面して配置される。この第二の側面は、第一の側面の側とは反対側に配置される。操作棹１０８の外装部を回転させると、操作棹１０８外装と連結された操作棹１０８下端部の不図示プリーギアが不図示のベルトを回転させる。該ベルトが、光学ヘッド部１０１をＹ方向に移動させるための不図示の送りネジ機構の送りネジと連結したプーリーを回すことで、光学ヘッド部１０１をＹ方向に位置決めできる。
【手続補正４】
【補正対象書類名】明細書
【補正対象項目名】００２０
【補正方法】変更
【補正の内容】
【００２０】
光学ヘッド部１０１の外装カバー３０４には、気流を通すための穴部３１６および３１７が設けられる。穴部３１６および３１７の外周は外装カバー３０４のリブ部３１８および３１９で囲まれている。これらリブ部は、各々吸引穴部３１５からダクト部を構成する空間に至る連通路、および空間から排出穴部３１４に至る連通路を構成する。該リブ部３１８は、スポンジ３１２を押しつぶすので、送風ファン気流３０７は、外装カバー３０４の穴部３１６から全て排出される。この排出される気流を排出気流３０８として、その流出方向を矢印で示してある。リブ部３１９はスポンジ３１３を押しつぶすので、外装カバー３０４の穴部３１７からは、ダクト３０１方向に向かって外気が流入する。この流入する気流を流入気流３０９として、その流入方向を矢印で示してある。ここで述べたスポンジは、前述した連通路各々と空間との接続部分に配置され、該空間を筺体の中において遮蔽するために接続部分の密閉状態を維持するために用いられる。従って、同等の作用効果を有するものであればスポンジに限定されず、ここではスポンジ状部材として定義する。
【手続補正５】
【補正対象書類名】明細書
【補正対象項目名】００３１
【補正方法】変更
【補正の内容】
【００３１】
図６は、該ダクトユニット部５０１の拡大斜視図である。該ダクトユニット部５０１は、第一のカバー６０１と第二のカバー６０２とを外装カバーとして有する。第一のカバー６０１は、光学ヘッド部４０１の外装を兼ねている。第二のカバー６０２は、ダクトユニット部５０１の光学ヘッド部４０１の内部に対してのカバーとして機能する。本実施形態では、以上の２個のカバーを不図示のネジで固定してダクトユニット部５０１を構成している。本実施例におけるダクトユニット部５０１に例示されるユニットは、光学ヘッドの筺体であるカバー６０１における操作部および顎受け部各々が配置される側面以外の第三の側面に設けられた収容凹部に収容される。なお、本実施形態では該収容凹部にダクトユニット部５０１が収容される態様を例示しているが、収容凹部に対して部分的に収容される、或いは収容凹部を設けずに単にダクトユニット部５０１を筺体に取付ける態様としても良い。すなわち、ダクトユニット部５０１は筺体の第三の側面に対して着脱可能であれば良い。
【手続補正６】
【補正対象書類名】特許請求の範囲
【補正対象項目名】全文
【補正方法】変更
【補正の内容】
【特許請求の範囲】
【請求項１】
被検者の被検眼に対して測定光を走査する走査部を駆動する駆動部と、
前記走査部および前記駆動部を覆う筺体と、
基台に対して前記筺体を移動させる移動部と、
前記基台に設けられ、前記被検者の顔を受ける顔受け部と、
前記移動部に設けられ、検者が操作する操作部と、
前記顔受け部の方向に位置する第一の側面および前記操作部の方向に位置する第二の側面とは異なる側面である前記筺体の第三の側面に設けられた吸引穴部および排出穴部を介して前記筺体の外部と連通する前記筺体の内部の空間であって、前記駆動部に対して遮蔽された前記空間に設けられた電子基板と、
を備えることを特徴とする眼科装置。
【請求項２】
被検者の被検眼に対して測定光を走査する走査部を駆動する駆動部と、
前記走査部および前記駆動部を覆う筺体と、
前記筺体の側面に設けられた吸引穴部および排出穴部を介して前記筺体の外部と連通する前記筺体の内部の空間であって、前記駆動部に対して遮蔽された前記空間に設けられた電子基板と、
を備えることを特徴とする眼科装置。
【請求項３】
前記吸引穴部より前記筺体の外部より気体を吸引し且つ前記排出穴部より前記空間の気体を前記外部に排出する気流を生成するファンを更に備えることを特徴とする請求項１又は２に記載の眼科装置。
【請求項４】
前記ファンの少なくとも一部が前記電子基板と対向して配置されることを特徴とする請求項３に記載の眼科装置。
【請求項５】
前記空間の外縁を構成する壁は低熱伝導材料より構成されることを特徴とする請求項１乃至４の何れか１項に記載の眼科装置。
【請求項６】
前記電子基板は板状の構造を有し、前記空間で気体が流れる方向に延在するように配置されることを特徴とする請求項１乃至５の何れか１項に記載の眼科装置。
【請求項７】
前記電子基板は前記空間に延在する金属材料からなる部材を介して前記空間の外縁を構成する壁に固定されることを特徴とする請求項１乃至６の何れか１項に記載の眼科装置。
【請求項８】
前記電子基板は前記空間の外縁を構成する壁より間隔を隔てて前記壁に固定されることを特徴とする請求項１乃至６の何れか１項に記載の眼科装置。
【請求項９】
前記吸引穴部から前記空間に至る連通路と前記空間との接続部分、および前記空間から前記排出穴部に至る連通路と前記空間との接続部分には、前記空間を前記筺体の中において遮蔽するために前記接続部分の密閉状態を維持するスポンジ状部材が配置されることを特徴とする請求項１乃至８の何れか１項に記載の眼科装置。
【請求項１０】
前記空間の外縁を構成する壁により前記空間を内包するユニットが構成されており、前記吸引穴部および前記排出穴部は前記ユニットに設けられ、前記ユニットは前記筺体の側面に着脱可能に設けられることを特徴とする請求項１乃至８の何れか１項に記載の眼科装置。
【請求項１１】
前記電子基板は、前記眼科装置の制御を行うことを特徴とする請求項１乃至１０の何れか１項に記載の眼科装置。
【請求項１２】
前記走査部は、ポリゴンミラー又は共振ミラーを含むことを特徴とする請求項１乃至１１の何れか１項に記載の眼科装置。
【請求項１３】
前記走査部を介して前記測定光を照射した前記被検眼からの戻り光と、前記測定光に対応する参照光とを干渉して得た干渉光に基づいて、前記被検眼の断層画像を取得するように構成されることを特徴とする請求項１乃至１２の何れか１項に記載の眼科装置。